(57)【要約】【課題】出力信号を好適にキャンセルできる無指向性マイクロフォンを提供する。【解決手段】カプセル（２、ａ、ｂ、ｃ、ｄ、ｅ、ｆ、ｇ、ｈ、ｉ、ｊ、ｋ、ｌ）と呼ばれる、少なくとも４つの個々の勾配圧力マイクロフォンを含み、該カプセルの裏側が、最も広い可能な対称を有する仮想の球体の接線表面上に、すなわち、本質的に仮想の正多面体の表面上に、空間的に配置されている、サウンドフィールドマイクロフォンである。本発明は、仮想の正多面体（４）の内部において、固体（８）が配置され、該固体の容量が、仮想の正多面体（４）の容量の１％よりも大きいということを特徴とする。【選択図】図２
2007006458.tif 000002
【特許請求の範囲】
【請求項１】
カプセル（２、ａ、ｂ、ｃ、ｄ、ｅ、ｆ、ｇ、ｈ、ｉ、ｊ、ｋ、ｌ）と呼ばれる、少なくとも４つの個々の勾配圧力マイクロフォンを含み、該カプセルの裏側が、最も広い可能な対称を有する仮想の球体の接線表面上に、すなわち、本質的に仮想の正多面体の表面上に、空間的に配置されている、サウンドフィールドマイクロフォンであって、仮想の正多面体（４）の内部において、固体（８）が配置され、該固体の容量が、該仮想の正多面体（４）の容量の１％よりも大きいことを特徴とする、サウンドフィールドマイクロフォン。
【請求項２】
前記マイクロフォンが４つのカプセル（２）を備え、該カプセルの裏側が、仮想の４面体（４）の表面上に、空間的に配置されることを特徴とする、請求項１に記載のサウンドフィールドマイクロフォン。
【請求項３】
前記固体（８）が、本質的に球体であり、前記仮想の多面体（４）の容量の最大４０％を有することを特徴とする、請求項１または２に記載のマイクロフォン。
【請求項４】
前記固体（８）が本質的に平坦化された球状であり、前記仮想の多面体（４）の容量の最大６５％を有することを特徴とする、請求項３に記載のマイクロフォン。
【請求項５】
前記固体（８）が、カプセル（２、ａ、ｂ、ｃ、ｄ、ｅ、ｆ、ｇ、ｈ、ｉ、ｊ、ｋ、ｌ）間の領域において、仮想の正多面体（４）の空間を満たすことを特徴とする、請求項１から４のいずれか一項に記載のマイクロフォン。
【請求項６】
前記カプセル（２）が、少なくとも環状の表面に沿って、固体（８）に対して横たわっていることを特徴とする、請求項１から５のいずれか一項に記載のマイクロフォン。
【請求項７】
前記固体（８）がカプセル（２、ａ、ｂ、ｃ、ｄ、ｅ、ｆ、ｇ、ｈ、ｉ、ｊ、ｋ、ｌ）に対して位置合わせ要素を有することを特徴とする、請求項１から６のいずれか一項に記載のマイクロフォン。
【請求項８】
前記固体（８）がシリコンまたはエラストマープラスチックからなることを特徴とする、請求項１から７のいずれか一項に記載のマイクロフォン。
【発明の詳細な説明】
【技術分野】
【０００１】
本発明はサウンドフィールドマイクロフォンに関し、少なくとも４つの個々の勾配圧力マイクロフォン（単に、カプセルと呼ばれる）を含み、そのカプセルの裏側が、最も広い可能な対称を有する仮想の球体の接線表面上に、すなわち、実質的に正多面体（すなわち、４面体の表面上に４つのカプセルの場合において）の表面上に、空間的に配置されている。
【背景技術】
【０００２】
そのようなサウンドフィールドマイクロフォンは、ＧＢ１５１２５１４Ａ号およびＵＳ４，０４２，７７９Ａ号において最初に記載されており、この文書に対応し、本発明の開示において援用される。これは、個々のカプセルが４面体に配置されている４つの勾配圧力カプセルからなるマイクロフォンを含み、それらの個々のカプセルの膜が、４面体の仮想表面に対して実質的にパラレルである。これらの個々のカプセルのそれぞれは、それ自体の信号Ａ、Ｂ、Ｃ、およびＤを搬送する。それぞれ個々の圧力レシーバはオムニ（ｏｍｎｉ）から逸れる指向性パターンを有し、そのオムニはほぼ、（１−ｋ）＋ｋ×ｃｏｓ（θ）という式において表され得、θは、カプセルがサウンドに露出される方位角（ａｚｉｍｕｔｈ）を意味し、比率係数であるｋは、その信号が無指向性の（ｏｍｎｉｄｉｒｅｃｔｉｏｎａｌ）信号からどれだけ強く逸脱するかを示す（球体においては、ｋ＝０、図における参照番号８においては、ｋ＝１）。個々のカプセルの信号は、Ａ、Ｂ、Ｃ、およびＤである。それぞれ個々のマイクロフォンの指向性パターンの対称軸は、膜、または対応する４面体の表面に対して直角である。それぞれ個々のカプセルの指向性パターンの対称軸（個々のカプセルの主方向とも呼ばれる）は、それゆえ、およそ１０９．５度の角度を含む。
【０００３】
上記の特許における計算手順に従い、４つの個々のカプセル信号がここで、いわゆるＢフォーマット（Ｗ、Ｘ、Ｙ、Ｚ）に変換される。その計算手順は、
Ｗ＝１／２（Ａ＋Ｂ＋Ｃ＋Ｄ）
Ｘ＝１／２（Ａ＋Ｂ−Ｃ−Ｄ）
Ｙ＝１／２（−Ａ＋Ｂ＋Ｃ−Ｄ）
Ｚ＝１／２（−Ａ＋Ｂ−Ｃ＋Ｄ）
である。
【０００４】
成形信号の指向性は、球面調和関数によって実質的に記載される。その信号は、一つの球体（Ｗ）、および、互いに直交する３つの、図における参照番号８（Ｘ、Ｙ、Ｚ）を含む。そのようなサウンドフィールドマイクロフォンは、それゆえ、第１次（ｆｉｒｓｔ−ｏｒｄｅｒ）サウンドフィールドマイクロフォン（球面調和関数を用いて、第１次まで、信号を作成する）と呼ばれる。
【０００５】
第２次（ｓｅｃｏｎｄ−ｏｒｄｅｒ）サウンドフィールドマイクロフォンは以下で検討される。マイクロフォンのこのタイプは、例えば、非特許文献１にて扱われている。
【０００６】
第２次まで球面調和関数を表現することができるサウンドフィールドマイクロフォンは、例えば、１２個の個々の勾配マイクロフォンカプセルを要求し、図４にて示されるように、それぞれの面がカプセルを搬送する１２面体の形式において配置される。カプセルの番号付けは、上部の表側の「ａ」から始まり、右底の「１」にて終わる。以下の式を理解するために、直交座標システム（Ｃａｒｔｅｓｉａｎ  ｃｏｏｒｄｉｎａｔｅ  ｓｙｓｔｅｍ）が、基礎として使用され、個々のカプセルの通常のベクトルは以下のように規定される。
二つの補助的な量が導入される場合、
【０００７】
【数１】
2007006458.tif 000003
これらの通常のベクトル
【０００８】
【数２】
2007006458.tif 000004
は簡潔に記載され得る。
【０００９】
【数３】
2007006458.tif 000005
既知のゼロ次（ｚｅｒｏ−ｔｈ）を用いたＢフォーマット、および第１次信号Ｗ、Ｘ、Ｙ、Ｚは、ここで、第２次球体信号（ｓｐｈｅｒｉｃａｌ  ｓｉｇｎａｌ）要素に対応する追加的な信号によって拡張され得る。これらの５つの信号は、Ｒ、Ｓ、Ｔ、Ｕ、およびＶという文字で示される。カプセル信号ｓ１、ｓ２・・・ｓ１２と、それに対応する信号Ｗ、Ｘ、Ｙ、Ｚ、Ｒ、Ｓ、Ｔ、Ｕ、およびＶとの間の関係は、以下の表において示される。
【００１０】
【表１】
2007006458.tif 000006
式の理解を補助する、前述の導入された一定の補助的な値χ＋およびχ−もまた考慮される。
【００１１】
サウンドフィールドマイクロフォンの主な利点は、カプセルによって記録されたサウンドイベントの記録の後に、個々の信号の対応する減少値によってマイクロフォン全体の指向性パターンを変更することが可能であり、それゆえ、再生、またはサウンドキャリアの最終的な製造の間でさえも、所望される方法において、それを適合させることが可能である。例えば、特に、合奏の中で、それに対応する独奏を強調することが可能であり、指向性パターンに影響を及ぼすことによって予期されていない、または所望されていないサウンドイベントをマスクすることが可能であり、または、動く音源（例えば、舞台上の俳優など）を追いかけることが可能であり、その結果、録音の質は、音源の位置の変化などにかかわり無く、常に保たれる。
【００１２】
検出点（または狭い領域）に関連する音源の方向および位置の決定のための解決策は、ＥＰ３７４９０２Ａ号において与えられている。それは、弾性のある（ｅｌａｓｔｉｃ）手段によって保持される量（ｍａｓｓ）を使用し、複数の振動ピックアップデバイスを提供する。保持する手段、および、量とともに動くピックアップデバイスと、電子回路が提供される場所との間の接続に、問題が存在する。さらに、受信された信号は、デバイスの方向性から独立しているわけでもなく、記録の後は、再生不可能である。
【００１３】
さらなる解決策が、ＵＳ２００３／０２０９３８３Ａ号によって提供される。それは、特殊な種類のアレイマイクロフォンを開示しており、環状構造において、互いに等しい距離にて取り付けられた複数のカプセルを使用している。この配置は、全てのカプセルが取り付けられている共有の平面内での方向を特徴付けるのみであり得るゆえに、ＧＢ１５１２５１４Ａの解決策よりも遜色がある。
【００１４】
非常に特殊なデバイスは、ＥＰ８６９６９７Ａに開示されている。６つの小さい感圧性の無指向性マイクロフォンは、硬いナイロンの球体の直径４分の３の表面上に、有利には、８面体の頂点が球体表面に接触する複数の点の表面上に取り付けられる。８つの頂点が６つのマイクロフォンに適合され得る方法は不明確であり、付け加えて、ナイロンの球体の影響は、その結果の質を低下させる。これを除けば、この解決法は、ＧＢ１５１２５１４Ａ号の解決法と類似しており、同様の不利益を有する。
【００１５】
ＧＢ１５１２５１４Ａ号に戻り、注目に値する効果が、考慮されたカプセル上の、または、このカプセルによって受信される信号上のカプセルの物理的存在によって影響を受けることを述べなければならない。すなわち、用いられた勾配カプセルは、膜の表と膜の裏の間の音圧における差異のみに反応する。というのも、サウンドが、まさにローカル化可能な小さな領域の音源からマイクロフォンに遭遇した場合、この差異は、他のものの中でも、表側および裏側への音波の異なる経路およびサウンドの異なる行程時間に依存する。サウンドフィールドマイクロフォンにおけるカプセルは、互いに接近、および隣接しているがゆえ、サウンドフィールドマイクロフォンの出来る限り小さい全体のサイズを維持する要求のために、裏側上のサウンド入力の逆効果が生じ（本記載において、および、本請求項においては、定義上、集合体である球体の中心に面する膜の側面）、その結果、正確に同じ位置に配置されているが、サウンドフィールドマイクロフォンの他のカプセルが無いカプセルの出力信号と比較すると、出力信号における変化が存在する。
【００１６】
これは、マイクロフォンの配置（すなわち、カプセルのそれ）の内部に形成された空洞部、および、その取り付け器具などとともに、そのマイクロフォンの配置による自然発生的な限界設定（ｄｅｌｉｍｉｔａｔｉｏｎ）が、音響フィルタの機能を果たし、個々のカプセルの膜の裏側へ導くサウンド経路によって、通常の音響フィルタに加えられる（これらのサウンド経路はカプセルの内部状態に関連し、それゆえ、それらの役割はカプセルマウントの性質に依存する）。この追加的な音響フィルタの影響は周波数依存であり、サウンドの波長が、膜の大きさおよびサウンドフィールドマイクロフォン全体の大きさと、本質的に同じ大きさである周波数にて最も強い効果を有する。ここで用いられるサウンドフィールドマイクロフォンにおいて、この強い効果は、およそ１０ｋＨｚの周波数範囲に本質的に存在し、拒否（ｒｅｊｅｃｔｉｏｎ）、すなわち、個々のカプセルが最も感度の低い方向からの周波数応答は、最も弱く、殆どの場合、１０ｄＢ以下に落ちる。
【００１７】
それゆえ、サウンドフィールドマイクロフォン、特に、４つの個々のカプセルを有するもの、および４面体の配置において、拒否を維持すること、すなわち、個々のカプセルが最も感度の低い方向からのサウンドの露出の間、周波数範囲全体に亘って、出来る限り均一であり、特に、２０Ｈｚから２０ｋＨｚの間の全ての範囲において１０ｄＢよりも強い出力信号のキャンセル（ｃａｎｃｅｌｌａｔｉｏｎ）を維持することが、本発明の任務である。
【特許文献１】英国特許第１５１２５１４Ａ号明細書
【特許文献２】米国特許第４，０４２，７７９Ａ号明細書
【特許文献３】米国特許出願公開第２００３／０２０９３８３号明細書
【非特許文献１】Ｐｈｉｌｉｐ  Ｓ  Ｃｏｔｔｅｒｅｌｌ、「Ｏｎ  ｔｈｅ  Ｔｈｅｏｒｙ  ｏｆ  ｔｈｅ  Ｓｅｃｏｎｄ−Ｏｒｄｅｒ  Ｓｏｕｎｄ  Ｆｉｅｌｄ  Ｍｉｃｒｏｐｈｏｎｅ」（ＢＳｃ、ＭＳｃ、ＡＭＩＥＥ、Ｄｅｐａｒｔｍｅｎｔ  ｏｆ  Ｃｙｂｅｒｎｅｔｉｃｓ、２００２年２月）
【発明の開示】
【課題を解決するための手段】
【００１８】
これらの課題は、本発明に従い、仮想の多面体の内部において、固体が配置され、その容量が仮想の多面体の容量より１％よりも大きいという事実によって達成される。本記載および本請求項に従い、「固体（ｓｏｌｉｄ）」の特性は、硬い、または継ぎ目ないなどの特殊な機械的属性ではなく、液体や気体との対照として意味することを理解されるべきであり、その最も広い意味において理解されるべきである。
【００１９】
本発明は、さらに以下の手段を提供する。
【００２０】
（項目１）  
カプセル（２、ａ、ｂ、ｃ、ｄ、ｅ、ｆ、ｇ、ｈ、ｉ、ｊ、ｋ、ｌ）と呼ばれる、少なくとも４つの個々の勾配圧力マイクロフォンを含み、該カプセルの裏側が、最も広い可能な対称を有する仮想の球体の接線表面上に、すなわち、本質的に仮想の正多面体の表面上に、空間的に配置されている、サウンドフィールドマイクロフォンであって、仮想の正多面体（４）の内部において、固体（ｓｏｌｉｄ ｂｏｄｙ）（８）が配置され、該固体の容量が、該仮想の正多面体（４）の容量の１％よりも大きいことを特徴とする、サウンドフィールドマイクロフォン。
【００２１】
（項目２）  
上記マイクロフォンが４つのカプセル（２）を備え、該カプセルの裏側が、仮想の４面体（４）の表面上に、空間的に配置されることを特徴とする、項目１に記載のサウンドフィールドマイクロフォン。
【００２２】
（項目３）  
上記固体（８）が、本質的に球体であり、上記仮想の多面体（４）の容量の最大４０％を有することを特徴とする、項目１または２に記載のマイクロフォン。
【００２３】
（項目４）  
上記固体（８）が本質的に平坦化された球状であり、上記仮想の多面体（４）の容量の最大６５％を有することを特徴とする、項目３に記載のマイクロフォン。
【００２４】
（項目５）  
上記固体（８）が、カプセル（２、ａ、ｂ、ｃ、ｄ、ｅ、ｆ、ｇ、ｈ、ｉ、ｊ、ｋ、ｌ）間の領域において、仮想の正多面体（４）の空間を満たすことを特徴とする、項目１から４のいずれか一項に記載のマイクロフォン。
【００２５】
（項目６）  
上記カプセル（２）が、少なくとも環状の表面に沿って、固体（８）に対して横たわっていることを特徴とする、項目１から５のいずれか一項に記載のマイクロフォン。
【００２６】
（項目７）  
上記固体（８）がカプセル（２、ａ、ｂ、ｃ、ｄ、ｅ、ｆ、ｇ、ｈ、ｉ、ｊ、ｋ、ｌ）に対して位置合わせ要素を有することを特徴とする、項目１から６のいずれか一項に記載のマイクロフォン。
【００２７】
（項目８）  
上記固体（８）がシリコンまたはエラストマープラスチックからなることを特徴とする、項目１から７のいずれか一項に記載のマイクロフォン。
【００２８】
（摘要）
カプセル（２、ａ、ｂ、ｃ、ｄ、ｅ、ｆ、ｇ、ｈ、ｉ、ｊ、ｋ、ｌ）と呼ばれる、少なくとも４つの個々の勾配圧力マイクロフォンを含み、該カプセルの裏側が、最も広い可能な対称を有する仮想の球体の接線表面上に、すなわち、本質的に仮想の正多面体の表面上に、空間的に配置されている、サウンドフィールドマイクロフォンである。本発明は、仮想の正多面体（４）の内部において、固体（８）が配置され、該固体の容量が、該仮想の正多面体（４）の容量の１％よりも大きいということを特徴とする。
【発明を実施するための最良の形態】
【００２９】
本発明は、図面に従って以下でさらに説明される。
【００３０】
図１から明らかなように、サウンドフィールド（ｓｏｕｎｄ  ｆｉｅｌｄ）マイクロフォンは、空間的に対称に配置された、すなわち、４面体の配置における、４つの円筒型のカプセル２を含む。サウンド開口部（サウンド開放のための開始）、取り付け要素、接続ワイヤ、マウント（ｍｏｕｎｔ）などを含むことは、本発明の本質を明瞭に強調するために、この図においては意図的に省略された。
【００３１】
第２次サウンドフィールドマイクロフォンは、１２面体の配置において、空間的に対称に配置された１２個のカプセル、ａ、ｂ、ｃ、ｄ、ｅ、ｆ、ｇ、ｈ、ｉ、ｊ、ｋ、ｌを有して、図４に示される。本発明の構想は、任意の種類のサウンドフィールドマイクロフォンに適用され得、カプセルは、本質的に仮想の正多面体（例えば、４，６，８，１２などの対応する数のカプセルを有する４面体、６面体、８面体、１２面体など）上に配置される。以下において、本発明は、４つのカプセルの４面体配置を考慮しながら検討される。これらの考慮は、あらゆる種類のサウンドフィールドマイクロフォンに拡張され得ることは明らかである。
【００３２】
カプセル２の全ての４面体配置に共通する特徴は、二つの個々のカプセルが接触点３において接触しているという事実である。ここで、カプセル配置における仮想の４面体４であって、２つのカプセル２の複数の接触点３が４面体の端部５の二分点を形成すると想定する場合、導入される固体のサイズに関連して、一つの主張がなされ得る。
すなわち、この仮想の４面体において、側面によって挟まれた、図１において点線で示され、記載された最も大きい可能な球体７を想定する場合、以下は、仮想の４面体４の容量に関連するこの球体７の容量を示す、
Ｖｏｌｓｐｈｅｒｅ／ｔｅｔｒａｈｅｄｒｏｎ＝π／（６√３）
あるいは、球体７の容量は、仮想の４面体４の容量の３０．２％であるというように、数で表現される。このサイズの球体が固体としてカプセル配置の内部に導入される場合、この球体７は、個々のカプセル２のそれぞれの裏側の中心に接触する。回転可能な対称の個々のカプセルの裏側上の音声入力は、中心から、または表面上にて、放射状に離れて置かれる場合、それらは球体によってカバーされない。カプセルを有するそれぞれの接触表面を平たくすることを伴って、球体をさらに大きくすると、これらの音声入力は、それらが完全にカバーされるまで、ますます影響され、その結果、個々のカプセルは、勾配圧力変換器として機能し得なくなる。
【００３３】
上限として、仮想の４面体４に関連して、導入された固体（ｓｏｌｉｄ ｂｏｄｙ）８の容量制限は、それが完全な球体である限りにおいて最大で３０．２％、あるいは、本質的に球体であると想定される限りにおいて最大で４０％にセットされ得る。以下でさらに記載される平たくされた球状の（ｓｐｈｅｒｉｃａｌｌｙ  ｆｌａｔｔｅｎｅｄ）形として、最大で６５％が推定される。下限としては、固体のサイズを減少させることで、その影響はますます僅かになってくることは重要である。上で記載された、複数の点にて４面体と接触する一つの、直径３分の１の球体は、非常に厳密な方法において、サウンドフィールドにのみ影響を与える。上限として上述の比率計算に従い、３分の１までの球体の直径の減少は、その球体の容量を３％まで減少させることを意味し、仮想の４面体に関しては、その容量の１％にまで減少させることを意味する！。組み合わされた球体の固体は、それゆえ、その容量の限度内にて、すなわち、その球体の型において、カプセルの配置によって形成される仮想の４面体４の容量の１％から４０％にて形成され得、ならびに、平坦化された球状である固体の場合は６５％にて形成され得る。
【００３４】
驚くべきことに、空洞部に導入される固体の性質は広い制限を介して選択され得、その所望される目的は常に達成され得ることが示されている。その導入される物体は、プラスチック、エラストマー材料およびゴムのような材料、それだけでなく、金属、セラミック、ガラス、または木材を含み得、その表面の粗さは甚大な影響を及ぼすことはない。多孔性の材料（発泡体（ｆｏａｍ））もまた影響を及ぼさない。
【００３５】
球体の型は、組み合わせのために適していると証明されており、というのは、この場合、本質的に４面体の空洞部の内部における方向性は意味がなく、位置取りの間のエラーは、広い範囲を介した結果に影響を及ぼさないことが分かる。
【００３６】
図３は、内部に組み込まれた固体を用いた、および用いない、ならびに、および０次（ｄｅｇｒｅｅ）の周波数範囲の、サウンドフィールドマイクロフォンの一つのカプセルの拒否（ｒｅｊｅｃｔｉｏｎ）曲線を示す。ほとんど全ての周波数範囲に亘って０ｄＢに近くを通る細い線は、０次（ｄｅｇｒｅｅ）曲線を表し、それは、マイクロフォンが最も良い感度である方向からの音声の入力のための曲線である。従来技術に従ったそのカプセルの拒否曲線は最も強く強調され、二つの顕著な局地的な最小値を提供する。同じカプセルの拒否曲線はさらに強く強調され、前記のサウンドフィールドマイクロフォンの内部において、体積分率３４％（前述の仮想の４面体に関連して）を有するシリコン（Ｅｌａｓｔｉｌ）からなる球体を組み合わせた後、一つの局地的な最小値のみがより高い周波数に置かれ、第１（ｆｉｒｓｔ−ｎａｍｅｄ）の拒否曲線が決定された。
【００３７】
図から得られるように、従来技術に従ったカプセルの拒否は、この周波数において、二つの曲線の交差する点から、６ｋＨｚ以下の周波数において、本発明に従ったカプセルにおけるよりも良い。本発明に従って装備されたカプセルの拒否はより強く、−１０ｄＢ以下のままであり続ける。ここでは特に、この減少が、低周波数範囲における拒否の損失よりもさらに重要であることが指摘されるべきである。というのは、−１６ｄＢと、−２２ｄＢまたは−２４ｄＢとの間の差異は、およそ−８ｄＢまたはおよそ−１２ｄＢの間の差異よりも、聴覚の経験にとって、それほど重要ではないからである。すなわち、本発明に従った達成可能なゲインは、およそ１０ｋＨｚにおいてである。
【００３８】
本発明は、図示され記載された実際的な例に制限されるのではなく、異なる方法において修正され得る。例えば、環状膜（ａｎｎｕｌａｒ  ｍｅｍｂｒａｎｅ）のマウント（ｍｏｕｎｔ）を提供することが可能であり、その環状膜のマウントは、サウンドフィールドマイクロフォンの実際のデザインの間、保持する。というのも、環状膜のマウントは、この目的のために提供された要素をキャリーし、音声入力の開口をその外部表面上に存在させ、その対応する膜の裏側に至る。また、マウンティングリング（ｍｏｕｎｔｉｎｇ  ｒｉｎｇ）の内部の端部を収容する、対応する環状のシート（ｓｅａｔ）を有するサウンドフィールドマイクロフォンの内部に導入される、平坦化された球状である要素を装備することが可能であり、または、それらに対してそれをサポートることが可能であり、そのようにして、さらなる計測を要求することなしに、導入された固体を配置し、固定することが可能である。
【００３９】
「平坦化された球状である（ｓｐｈｅｒｉｃａｌｌｙ  ｆｌａｔｔｅｎｅｄ）」と言及される固体は、本質的には、風船球（ａｉｒ  ｂａｌｌｏｏｎ）が、表面全体に亘ってカプセルの裏側に最終的に接触し、カプセル間において僅かに膨張させるまで、その中心において膨張する場合に形成される要素の形を有する。そのような要素が固化されたものとして見られた場合、それぞれのカプセルから、それは、その表面上の環状の肩部（ｓｈｏｕｌｄｅｒ）を有する円形の圧痕（ｃｉｒｃｕｌａｒ  ｉｍｐｒｅｓｓｉｏｎ）を獲得する。実際的な情況において、カプセルの内壁上の接触表面が「自由に働く（ｆｒｅｅｌｙ  ｗｏｒｋｅｄ）」場合（耐久、振動、重さなどのために）、カプセル毎の「環状のシート」は、固体上に形成される。その固体は、次いで、カプセル間のガセット板（ｇｕｓｓｅｔ）において球状ではもはやなく、４面体である。その容量は、前述の４０％、および６５％（まで）の仮想の４面体の容量よりもさらに大きくあり得る。カプセルの膜の裏側の音声入力の開口は、平坦化された球状である要素がそのように形成されることから自由になっていなければならないことは理解可能である。
【００４０】
それゆえ、その球体が、背後から全ての力（ｆｏｒｃｅ）のシステムに対して押し出すことが可能であり、それは、カプセルの組み立ての間、耐久を補填する目的のために有利である。というのは、従来技術において、ゴム（ｅｌａｓｔｉｃ）、または細い糸のいずれかが、この目的のための構成要素として必要だからである。これらの構成要素は、弾力性のある球体の使用によって必要でなくなり得る。というのは、その球体が、ともにカプセルの要素を押し出すからである。
【００４１】
組み合わされた固体が球状の形を有する場合、球体の直径が、サウンドフィールドマイクロフォンの幾何学図形的配列（ｇｅｏｍｅｔｒｙ）によって調整される場合、および特に、個々のカプセルの膜のウンティングリングの内部の端部の位置およびサイズによって調整される場合、そのシートは不必要であり、その結果、組み合わされた球体は、これらのリングによって保持される。これは特に、導入された固体の材料が、所定の弾力性を有する場合、例えば、エラストマー材料からなる場合、容易に可能である。機械的設計はそれゆえ単純化され得る。
【００４２】
正多面体の容量に関連する固体８の容量に関する類似した考察はまた、６面体、８面体、１２面体などの表面に配置された４つより多いカプセルを含むサウンドフィールドマイクロフォンに対しても実行され得ることは述べられなければならない。図４において、固体８は球体であり、１２面体の中心に配置される。任意の場合において、固体８の容量は、本発明に従った有利な効果を達成するために、正多面体の容量の少なくとも１％はあるべきであることが示され得る。
【図面の簡単な説明】
【００４３】
【図１】本発明に従い、側面図における、マイクロフォンの幾何学図形的配列を、純粋に図式的に示す。
【図２】平面図における配置を示す。
【図３】本発明に従い、信号における好都合な効果を示す。
【図４】第２次サウンドフィールドマイクロフォンにおけるカプセルの配置を示す。
【符号の説明】
【００４４】
２  カプセル
４  正多面体
８  固体
【図１】
2007006458.tif 000007
【図２】
2007006458.tif 000008
【図３】
2007006458.tif 000009
【図４】
2007006458.tif 000010